(57)【特許請求の範囲】
【請求項１】
補聴器の特性を決定する複数の音響パラメータを前記補聴器に設定することにより、前記補聴器の特性を調整する補聴器調整装置であって、
前記複数の音響パラメータ毎に補聴器装用者の聴力情報のデータまたは前記補聴器に設定されている複数の音響パラメータの設定値のいずれかに基づき設定可能な特性領域内で前記音響パラメータの選択可能な特性値群を算出して、縦軸、横軸それぞれに異なる聴覚特性が割り当てられ、その聴覚特性の大小順に配置された２次元以上の配列として示す特性値群算出表示手段と、
前記特性値群算出表示手段に示された特性値群からいずれかを任意に選択することで選択された前記特性値を前記補聴器の音響パラメータとして設定する選択入力設定手段と、
を有することを特徴とする補聴器調整装置。
【請求項２】
前記特性値算出表示手段は、
入力された補聴器装用者の聴力情報のデータを基に前記補聴器の音響パラメータの初期値を算出する初期値算出部と、
前記初期値を基に前記音響パラメータに関する所定の範囲内の選択可能な複数の値を算出する第１のパラメータ算出部と、
前記第１のパラメータ算出部により算出された選択可能な前記複数の値を配列状に表示する表示部を有し、
前記選択入力設定手段は、前記特性値算出表示手段により算出され表示された複数のパラメータの前記特性値群から任意に選択された前記特性値を特定する特定信号を受信する特定信号受信手段と、
前記特定信号で特定された前記特性値を前記補聴器に設定するための設定部と、を有する、請求項１に記載の補聴器調整装置。
【請求項３】
前記特性値算出表示手段は、
前記補聴器から複数の音響パラメータの設定値を取得するパラメータ取得部と、
前記パラメータ取得部により取得した前記音響パラメータの設定値を基に前記音響パラメータに関する所定の範囲内の選択可能な複数の値を算出する第２のパラメータ算出部と、
前記第２のパラメータ算出部により算出された選択可能な前記複数の値を配列状に表示する表示部を有し、
前記選択入力設定手段は、前記特性値算出表示手段により算出され表示された複数のパラメータの前記特性値群から任意の前記特性値を選択し、かつ入力指示するための入力部と、
前記入力部で入力指示された前記パラメータの値を前記補聴器に設定するために出力する設定部と、を有する請求項１に記載の補聴器調整装置。
【請求項４】
前記音響パラメータの値を算出する前記第１のパラメータ算出部は、配列を用いて音響パラメータの値を規定するものであって、
前記補聴器装用者の前記聴力情報を表すデータを基に前記補聴器の音響パラメータの基準値を設定する第１の基準音響パラメータ設定部と、
少なくとも一つの配列を作成する配列作成部と、
前記音響パラメータの基準値に基づいて前記音響パラメータの選択可能な複数の値を算出する選択候補値算出部と、
前記選択候補値算出部で算出された複数の前記選択候補値を前記配列作成部にて作成された配列に対応させて設定する選択候補値設定部と、
前記入力部の指示に基づき配列から任意に選択された配列要素を特定する配列要素特定部と、
特定された前記配列要素に対応する音響パラメータの選択候補値を設定する音響パラメータ設定処理部と、を有する請求項２に記載の補聴器調整装置。
【請求項５】
前記音響パラメータの選択候補値としての推奨値を算出する前記第２のパラメータ算出部は、配列を用いて音響パラメータの選択候補値を規定するものであって、
前記音響パラメータの設定値を基準として設定する第２の基準音響パラメータ設定部と、
少なくとも一つの配列を作成する配列作成部と、
前記音響パラメータの設定値を基準として前記音響パラメータの選択可能な複数の値を算出する選択候補値算出部と、
前記選択候補値算出部で算出された複数の前記選択候補値を前記配列作成部にて作成された配列に対応させて設定する選択候補値設定部と、
前記入力部の指示に基づき配列から任意の配列要素を選択する配列選択処理部と、
選択された前記配列要素に対応する音響パラメータの選択候補値を設定する音響パラメータ設定処理部と、を有する請求項３に記載の補聴器調整装置。
【請求項６】
前記特性値群算出表示手段は、前記２次元の配列を設定する際には、基準値、または従来の設定値を２次元の配列の中心に設定する、
請求項１から３の何れかに記載の補聴器調整装置。
【請求項７】
前記表示部により表示される前記複数の値は、少なくとも時間的要素および空間的要素の何れか１つの要素を加えた３次元以上の配列を構成する配列要素として表示されることを特徴とする請求項２または３の何れかに記載の補聴器調整装置。
【請求項８】
補聴器の特性を決定する複数の音響パラメータを前記補聴器に設定することにより、前記補聴器の特性を調整する補聴器調整プログラムであって、
前記複数の音響パラメータ毎に補聴器装用者の聴力情報のデータまたは前記補聴器に設定されている複数の音響パラメータの設定値のいずれかに基づき設定可能な特性領域内で前記音響パラメータの選択可能な特性値群を算出して、縦軸、横軸それぞれに異なる聴覚特性が割り当てられ、その聴覚特性の大小順に配置された２次元以上の配列として示す特性値群算出表示手順と、
前記特性値群算出表示手順で示された特性値群からいずれかを任意に選択することで選択された前期特性値を前記補聴器の音響パラメータとして設定する選択入力設定手順と、
を有することを特徴とする補聴器調整プログラム。
【請求項９】
前記特性値算出表示手順は、入力された補聴器装用者の聴力情報のデータを基に前記補聴器の音響パラメータの初期値を算出する初期値算出手順と、
前記初期値を基に前記音響パラメータに関する所定の範囲内の選択可能な複数の値を算出する第１のパラメータ算出手順と、
前記第１のパラメータ算出手順により算出された選択可能な前記複数の値を配列状に表示する表示手順を有し、
前記選択入力設定手順は、前記特性値算出表示手順により算出され表示された複数のパラメータの前記特性値群から任意に選択された前記特性値を特定する信号を受信する特定信号受信手順と、
前記特定信号で特定された前記パラメータの値を前記補聴器に設定するための設定手順と、を有する、請求項８に記載の補聴器調整プログラム。
【請求項１０】
前記特性値算出表示手順は、
前記補聴器から複数の音響パラメータの設定値を取得するパラメータ取得手順と、
前記パラメータ取得手順により取得した前記音響パラメータの設定値を基に前記音響パラメータに関する所定の範囲内の選択可能な複数の値を算出する第２のパラメータ算出手順と、
前記第２のパラメータ算出手順により算出された選択可能な前記複数の値を配列状に表示する表示手順を有し、
前記選択入力設定手順は、前記特性値算出表示手順により算出され表示された複数のパラメータの前記特性値群から任意の前記特性値を選択し、かつ入力指示するための入力手順と、
前記入力手順で入力指示された前記パラメータの値を前記補聴器に設定するために出力する設定手順と、を有する請求項８に記載の補聴器調整プログラム。
【発明の詳細な説明】
【技術分野】
【０００１】
本発明は、補聴器の信号処理を決定する各種パラメータの値を算出し、設定する補聴器調整装置または補聴器調整プログラムに関するものである。
【背景技術】
【０００２】
補聴器は、マイクから入った入力音を増幅してレシーバから出力する機能を備える。
この入力音のうち、どの周波数成分をどの程度増幅して出力するかということ、すなわち音響パラメータの一つである各周波数における利得は、補聴器の特性を決定するパラメータの１つである。
このような補聴器の特性は、その補聴器を使用する者(以下、「補聴器装用者」という)の聴力に適合するように調整される必要がある。
【０００３】
従来の補聴器は、コンデンサ、可変抵抗器を有したフィルタを備えており、このフィルタを調整することによって、補聴器の特性が調整されていた。
例えば、コンデンサ、可変抵抗器を有したハイパスフィルタから構成される補聴器においては、可変抵抗器の抵抗値を変化させることにより、カットオフ周波数を可変させ減衰する低域周波数成分の量を変化させることができた。
【０００４】
また、同様にローパスフィルタから構成される補聴器においても、減衰する高域周波数成分の量を変化させることもできた。
このように、フィルタの周波数成分の減衰量を調整することにより、補聴器の特性が調整されていた。
また、可変抵抗器によりレシーバの電源電圧を可変させることにより、最大出力を変化させ、出力制限を設けることができる補聴器もあった。
これらの従来の補聴器の調整は、専門家が、小型ドライバを使用して、補聴器の表面に設けられた可変抵抗器を手動で調整することにより、行われていた。
【０００５】
ここ数年、補聴器内部に電気的消去可能プログラマブル読出し専用メモリ（electrically erasable programmable read-only memory、以下単に「ＥＥＰＲＯＭ」という。）を備え上記可変抵抗器の抵抗値をＥＥＰＲＯＭの情報により設定するプログラマブル補聴器や、ディジタル信号処理により、より多くの調整項目を設定することにより、より細かく補聴器の特性の調整ができるディジタル補聴器が主流になってきた。これらの補聴器の特性を調整するために、補聴器調整装置が使われている。
補聴器調整装置は、これらの補聴器の様々な特性を決めるための各種パラメータを決定し、補聴器が備えるＥＥＰＲＯＭ等に各種パラメータ情報を書き込むことで補聴器の特性を調整するようになっている。
【０００６】
上記の様にディジタル信号処理が補聴器に用いられるようになると、補聴器の調整できる特性の項目、各種パラメータの設定できる値は増え、それらの組み合わせは膨大な数になる。
これらの組み合わせを全通りシミュレートし、補聴器装用者が必要とする補聴器特性の最適値を算出すると、非常に時間がかかり、補聴器装用者、補聴器調整者への負担が大きくなるという問題があった。
そこで最適化手法としてシミュレーテッド・アニーリング法（Simulated Annealing、以下単に「SA法」という。）や遺伝的アルゴリズム（Genetic Algorithm、以下単に「GA法」という。）を用いて、補聴器装用者が必要とする補聴器特性を得る方法がとられている（例えば、特許文献１、２）。
【０００７】
上記によって得られた補聴器特性に対し、補聴器装用者の好みや聞きやすさ等によりさらに補聴器特性の微調整が必要な場合が多い。
また、補聴器装用者が、補聴器特性の設定済み補聴器を一定期間使用した後に変更を要求する場合も多い。
そこで補聴器調整者は、補聴器装用者の要求を、補聴器特性を決定する各種パラメータと関連付けて各種補聴器特性の微調整を行うことが必要となる。
しかし、補聴器調整の経験が少ない補聴器調整者は、補聴器装用者の要求をパラメータと関連付けることが困難であるため、補聴器装用者に適した調整が行われない場合がある。
そこで補聴器調整装置を用いて、補聴器装用者の要求する言葉を補聴器の音響特性を構成する各種音響パラメータと関連付け、現在の補聴器の音響特性を構成する各種音響パラメータに対し、どのパラメータをどれくらい変更するかの指示を示す方法や、ボタンに変更する音響パラメータの相対値を割り当て補聴器の各種音響特性を変更していく方法がとられている（例えば、特許文献３）。
【特許文献１】特開平09-054765号公報
【特許文献２】特開2001-175637号公報
【特許文献３】特開平2-20200号公報
【発明の開示】
【発明が解決しようとする課題】
【０００８】
以上の従来例で、補聴器調整者が補聴器装用者の要求に応じ補聴器の音響パラメータを容易に変更できるようになっているが、補聴器調整者が補聴器の各種音響パラメータの初期値や、現在の補聴器の各種音響パラメータに対し、それぞれの変化量（それぞれの初期値に対する変化量、あるいは従来の設定値からの変化量）を知ることが難しいという課題がある。
ディジタル信号処理が補聴器に用いられるようになると、補聴器の調整出来る項目、各種パラメータの値として設定可能な選択肢としての値（選択候補値）の数が増えるため、さらにこの傾向が増大する。
【０００９】
本発明は、補聴器調整者が各種聴覚特性を補聴器の音響特性を構成する各種音響パラメータに対応付けることを容易にするとともに、補聴器の調整時間の短縮、補聴器の調整の精度を向上する補聴器調整装置または補聴器調整プログラムを提供することを目的とする。
【課題を解決するための手段】
【００１０】
本発明の補聴器調整装置は、補聴器の特性を決定する複数の音響パラメータを前記補聴器に設定することにより、前記補聴器の特性を調整する補聴器調整装置であって、前記複数の音響パラメータ毎に補聴器装用者の聴力情報のデータまたは前記補聴器に設定されている複数の音響パラメータの設定値のいずれかに基づき設定可能な特性領域内で前記音響パラメータの選択可能な特性値群を算出し、縦軸、横軸それぞれに異なる聴覚特性が割り当てられ、その聴覚特性の大小順に配置された２次元以上の配列として示す特性値群算出表示手段と、前記特性値群算出表示手段に示された特性値群からいずれかを任意に選択することで選択された前記特性値を前記補聴器の音響パラメータとして設定する選択入力設定手段と、を有する。
【００１１】
この構成により、本発明の補聴器調整装置は、表示された特性値群の中から、補聴器装用者の要求に合うように、適当な各種音響パラメータの値を選ぶことは、非常に容易であるため、補聴器調整者は、各種聴覚特性を補聴器の音響特性を構成する各種音響パラメータに、特別な技術的な知識を要することなく容易に対応付けることができるとともに、補聴器の調整時間の短縮、補聴器の調整の精度を向上することができる。
【００１２】
本発明の補聴器調整装置は、前記特性値群算出表示手段は、入力された補聴器装用者の聴力情報のデータを基に前記補聴器の音響パラメータの初期値を算出する初期値算出部と、前記初期値を基に前記音響パラメータに関する所定の範囲内の選択可能な複数の値を算出する第１のパラメータ算出部と、前記第１のパラメータ算出部により算出された選択可能な前記複数の値を配列状に表示する表示部を有し、前記選択入力設定手段は、前記特性値算出表示手段により算出され表示された複数のパラメータの前記特性値群から任意に選択された前記特性値を特定する特定信号を受信する特定信号受信手段と、前記特定信号で特定された前記パラメータの値を前記補聴器に設定するための設定部と、を備える構成を有してもよい。
【００１３】
この構成により、本発明の補聴器調整装置は、この配列状に示された複数の選択可能な複数の値、すなわち選択候補値の中から、補聴器装用者の要求に合うように、適当な各種音響パラメータの値を選ぶことは、非常に容易であり、補聴器調整者が、各種聴覚特性を補聴器の音響特性を構成する各種音響パラメータに、特別な技術的な知識を要することなく容易に対応付けることができるとともに、補聴器の調整時間の短縮、補聴器の調整の精度を向上することができる。
【００１４】
また、本発明の補聴器調整装置は、前記特性値算出表示手段は、前記補聴器から複数の音響パラメータの設定値を取得するパラメータ取得部と、前記パラメータ取得部により取得した前記音響パラメータの設定値を基に前記音響パラメータに関する所定の範囲内の選択可能な複数の値を算出する第２のパラメータ算出部と、前記第２のパラメータ算出部により算出された選択可能な前記複数の値を配列状に表示する表示部を有し、前記選択入力設定手段は、前記特性値算出表示手段により算出され表示された複数のパラメータの前記特性値群から任意の前記特性値を選択し、かつ入力指示するための入力部と、前記入力部で入力指示された前記パラメータの値を前記補聴器に設定するために出力する設定部と、を備える構成を有してもよい。
【００１５】
この構成により、本発明の補聴器調整装置は、補聴器装用者の最近の聴覚データが不明であっても、従来から使用している補聴器のデータを取り込むことで、この配列状に示された複数の値、すなわち選択候補値の中から、補聴器装用者の要求に合うように、適当な音響パラメータの値を選ぶことは、非常に容易であり、補聴器調整者が、各種聴覚特性を補聴器の音響特性を構成する各種音響パラメータに、特別な技術的な知識を要することなく容易に対応付けることができるとともに、補聴器の調整時間の短縮、補聴器の調整の精度を向上することができる。
【００１６】
また、本発明の補聴器調整装置は、前記音響パラメータの値を算出する前記第１のパラメータ算出部は、配列を用いて音響パラメータの値を規定するものであって、前記補聴器装用者の前記聴力情報を表すデータを基に前記補聴器の音響パラメータの基準値を設定する第１の基準音響パラメータ設定部と、少なくとも一つの配列を作成する配列作成部と、前記音響パラメータの基準値に基づいて前記音響パラメータの選択可能な複数の値を算出する選択候補値算出部と、前記選択候補値算出部で算出された複数の前記選択候補値を前記配列作成部にて作成された配列に対応させて設定する選択候補値設定部と、前記入力部の指示に基づき配列から任意に選択された配列要素を特定する配列要素特定部と、特定された前記配列要素に対応する音響パラメータの選択候補値を設定する音響パラメータ設定処理部と、を備える構成を有してもよい。
【００１７】
この構成により、本発明の補聴器調整装置は、この配列状に示された複数の値、すなわち選択候補値の中から、補聴器装用者の要求に合うように、適当な音響パラメータの値を選ぶことは、非常に容易であり、補聴器調整者が、各種聴覚特性を補聴器の音響特性を構成する各種音響パラメータに、特別な技術的な知識を要することなく容易に対応付けることができるとともに、補聴器の調整時間の短縮、補聴器の調整の精度を向上することができる。
【００１８】
また、本発明の補聴器調整装置は、前記音響パラメータの選択候補値としての推奨値を算出する前記第２のパラメータ算出部は、配列を用いて音響パラメータの選択候補値を規定するものであって、前記音響パラメータの設定値を基準として設定する第２の基準音響パラメータ設定部と、少なくとも一つの配列を作成する配列作成部と、前記音響パラメータの設定値を基準として前記音響パラメータの選択可能な複数の値を算出する選択候補値算出部と、前記選択候補値算出部で算出された複数の前記選択候補値を前記配列作成部にて作成された配列に対応させて設定する選択候補値設定部と、前記入力部の指示に基づき配列から任意の配列要素を選択する配列選択処理部と、選択された前記配列要素に対応する音響パラメータの選択候補値を設定する音響パラメータ設定処理部と、を備える構成を有してもよい。
【００１９】
この構成により、本発明の補聴器調整装置は、この配列状に示された複数の値、すなわち選択候補値の中から、補聴器装用者の要求に合うように、適当な音響パラメータの値を選ぶことは、非常に容易であり、補聴器調整者が、各種聴覚特性を補聴器の音響特性を構成する各種音響パラメータに、特別な技術的な知識を要することなく容易に対応付けることができるとともに、補聴器の調整時間の短縮、補聴器の調整の精度を向上することができる。
【００２０】
また、本発明の補聴器調整装置は、特性値群算出表示手段は、前記２次元の配列を設定する際には、基準値、または従来の設定値を２次元の配列の中心に設定する構成を有してもよい。
【００２１】
この構成により、本発明の補聴器調整装置は、少なくとも２種類の音響パラメータ、あるいは一つの音響パラメータであっても関係の深い要因を対応させて設定できることで、より簡便に、短時間で、補聴器装用者が望む音響パラメータの値に精度よく近づけることができる。
【００２２】
また、本発明の補聴器調整装置は、前記表示部により表示される前記複数の値は、少なくとも時間的要素および空間的要素の何れか１つの要素を加えた３次元以上の配列を構成する配列要素として表示される構成を有してもよい。
【００２３】
ここで、時間的要素とは、例えば使用しているその時間帯、空間的要素とは、例えば、補聴器装用者、雨、風、気温、湿度等の自然環境、人工的な騒音等の環境などを含む。この構成により、本発明の補聴器調整装置は、補聴器装用者が複数人であっても、いかなる時間帯や環境であって、音響パラメータを群として扱うことができ、各人、時間帯、環境などに対応した設定に容易に切り替えることができ、補聴器の調整時間の短縮、補聴器の調整の精度を向上することができる。
【発明の効果】
【００２４】
本発明によれば、補聴器装用者が要求する補聴器特性にするための補聴器の音響特性を決定する各種音響パラメータの値を効率よく設定でき、調整時間の短縮ができる補聴器調整装置または補聴器調整プログラムを提供することができる。
【発明を実施するための最良の形態】
【００２５】
以下、本発明の第１の実施の形態を、図面を用いて説明する。
図１は本第１の実施の形態における補聴器調整装置の構成の一例を示すブロック図である。
図１に示すように、補聴器調整装置１００は、補聴器装用者の聴力情報のデータ（以下、聴力データ）を入力し、このデータを基に、SA法やGA法などの最適化手法を用いて、補聴器の音響パラメータの初期値を算出する音響パラメータの初期値算出部１０２と、この初期値を基に各種パラメータの選択候補値の推奨値を算出し配列状に設定する第１のパラメータ算出部であるパラメータ算出部１０３と、算出された選択候補値の配列を表示する表示部１１５と、パラメータ算出部１０３により算出された推奨値の配列から選択候補値を選択し入力するための入力部１０９と、選択された音響パラメータの選択推奨値を補聴器に設定するために出力する設定部１１０と、を有する。
第１のパラメータ算出部と表示部１１５は本発明の特性値群算出表示手段を構成し、入力部１０９と設定部１１０は本発明の選択入力設定手段を構成する。
【００２６】
補聴器のパラメータ算出部１０３は、音響パラメータ初期値算出部１０２によって得られた音響パラメータの初期値から基準となる音響パラメータを設定する、本発明の第１の基準音響パラメータ設定部である基準音響パラメータ設定部１０４と、基準音響パラメータ設定部１０４で設定された基準となる音響パラメータに対応した所定の配列を作成する本発明の配列作成部である配列作成処理部１０５と、基準音響パラメータ設定部１０４により設定された基準となる音響パラメータに基づいて配列作成処理部１０５により作成された配列を構成する各配列要素に選択候補値であるパラメータ値を設定する選択候補値設定部１０６と、選択候補値設定部１０６により設定された配列の選択候補値の中から、入力部１０９から入力される選択候補値を示す信号を対応付ける配列選択処理部１０７と、配列選択処理部１０７により選択された配列の選択候補値から音響パラメータの値を設定する音響パラメータ設定処理部１０８と、を含む。
さらに、補聴器装用者１２０の聴力データ１２１を補聴器調整装置１００へ入力するための図示されていないインターフェースを備えるものとする。
【００２７】
以下、本実施の形態の補聴器調整装置の動作について説明する。
【００２８】
聴力データ１２１を補聴器調整装置１００へ入力する方法としては、聴力データのファイルを読み込むことにより入力を行ってもよいし、手入力を受け付けることで入力を行ってもよい。聴力データ１２１を補聴器調整装置１００に入力する方法は、この他にも、ネットワークや記録媒体を用いるなど様々な方法が可能である。
音響パラメータの初期値算出部１０２の機能は、例えばパソコン等のＣＰＵが所定のプログラムを実行することによって実現することができる。
音響パラメータ初期値算出部１０２によって得られた音響パラメータを基準音響パラメータ設定１０４で処理を行い基準の音響パラメータの値として設定する。
【００２９】
配列作成処理部１０５は図３に示すように横軸にｎ、縦軸にｍの２次元のｎ×ｍ配列を作成する。ここで、ｍ、ｎはともに自然数とする。
【００３０】
配列を構成するそれぞれの配列要素には、選択候補値設定部１０６により基準となる補聴器の音響パラメータの値からの変更可能な値の候補が設定される。
すなわち、選択候補値設定部１０６において、基準音響パラメータ設定部１０４で設定された基準の音響パラメータ値を基に、それぞれの配列要素に対応する値を算出し、補聴器の音響パラメータの選択候補値として設定される。
このとき、選択候補値設定部１０６により設定される各配列要素に対応する値は、複数の音響パラメータそれぞれに対してあらかじめ設定された上限値と下限値、補聴器の電気回路として取り得る上限値と下限値、生体工学的、臨床検査の立場から基準の音響パラメータ値から一度に変更可能な変化幅等により決定される所定の範囲内の値であり、こうして算出された複数の値は、選択候補値設定部１０６により作成された配列を構成する、基準から等間隔、あるいは基準から離れるほど変化幅が大きくなる、または小さくなるように算出された複数の値として、あるいはそのシンボル的な符号などとして表示される。
【００３１】
こうして選択候補値設定部１０６により算出され、作成された配列に表示された選択候補値の中から、補聴器装用者の要求に合うように、適当な音響パラメータの値が選択される。
音響パラメータの値を選択する手段としては、最低限の構成として、ハード的に構成する場合は、選択候補値設定部１０６により設定された選択候補値の配列を表示する（表示部１１５と）表示部１１５と連動した、複数個のプラス／マイナスが選択できるボタンでもよいし、カウントアップ／ダウン兼用のカウントボタンと、アップダウン切替ボタンとの組み合わせでもよい。
これらのボタンを操作することで、補聴器調整者が、聴覚特性を補聴器の各種音響特性を構成する各種音響パラメータに、特別な技術的な知識を要することなく容易に対応付けるとともに、補聴器の調整時間の短縮、補聴器の調整の精度を向上することができる。
なお、音響パラメータの値を選ぶ手段として、ソフト的な手段として、音声認識技術を用いて、「もっと大きく」、「もっと小さく」等のように発声したものを認識する手段でも構成できる。
【００３２】
次に本発明の第２の実施の形態の補聴器調整装置について、図２を用いて説明する。
なお、図２において、本発明の第２の実施の形態の補聴器調整装置を構成する各構成要素のうち、図１に示した本発明の第１の実施の形態の補聴器調整装置を構成する各構成要素と同一なものには、同一の符号を付し、説明を省略する。
【００３３】
本実施の形態の補聴器調整装置１００ａでは、既に設定済みの補聴器１３０の補聴器特性を、補聴器１３０の音響パラメータの設定値を基に再設定していく場合について説明する。
本実施の形態において、第２のパラメータ算出部であるパラメータ算出部１０３ａを構成する補聴器調整装置１００ａは、補聴器１３０からインターフェースを介して従来の音響パラメータおよびその値を取得するための、音響パラメータ取得部１０１を有するものとする。
本実施の形態においては、第２のパラメータ算出部と表示部１１５が本発明の特性値群算出表示手段を構成する。
音響パラメータ取得部１０１は、補聴器１３０の音響パラメータを記憶する音響パラメータ記憶部１３１および信号を処理する信号処理部１３２を有する補聴器１３０に接続されている。補聴器調整装置１００ａは補聴器１３０の音響パラメータ記憶部１３１に記憶されている補聴器の音響パラメータの種類およびその各種設定値を音響パラメータ取得部１０１で取得する。
前記音響パラメータ取得部１０１で取得された音響パラメータの種類およびその各種設定値は、本発明の第２の基準音響パラメータ設定部である基準音響パラメータ設定部１０４ａへ出力され、基準の音響パラメータの値として設定される。
音響パラメータ取得部１０１が音響パラメータ記憶部１３１に記憶されている補聴器の音響パラメータを取得する方法としては、ケーブルや無線通信を含む通信手段を用いるなど様々な方法が可能である。
【００３４】
次に、配列作成処理部１０５は図３に示すように横軸にｎ、縦軸にｍの２次元の配列を作成する。
各種音響パラメータの種類ごとに配列を構成する配列要素が設定されている。
すなわち、配列を構成するそれぞれの配列要素には、基準となる補聴器の音響パラメータの値を基準とし、その周囲に所定の変化量に対応した複数の選択候補値あるいはそのシンボルが設定配置されている。
なお、配列作成処理部１０５は、基準音響パラメータ設定部１０４で設定された基準となる音響パラメータに対応して配列を作成するが、作成する配列を構成する配列要素の特徴、配列のサイズなどは、規定としてもよいし、事前に設定可能としてもよいし、また基準音響パラメータ設定部１０４で設定された基準となる音響パラメータに基づいて決定されるようにしてもよい。
選択候補値設定部１０６において、それぞれの配列要素に、前記基準音響パラメータ設定部１０４ａで設定された基準の音響パラメータ値を基に算出された選択候補値が対応付けて設定される。
【００３５】
ここで具体的な例を用いて説明する。本実施の形態では、配列作成処理部１０５は図４に示す５×５の配列を作成するものとする。配列作成処理部１０５は任意の行と列から構成される複数の配列を作成することが可能であるが、本実施の形態では説明を容易にするため、配列作成処理部１０５が音響パラメータの周波数成分に関する配列を作成する場合を例にあげて説明する。
配列作成処理部１０５が作成する５×５の配列に対して、選択候補値設定部１０６は、図５に示すように、縦軸に高域周波数成分、横軸に低域周波数成分を想定した選択候補値であるパラメータ値を設定する。
ここで、ｆ(a,b)は基準に対し、aは低域周波数成分の変化量を表(す選択候補値)し、ｂは高域周波数成分の変化量を表（す選択候補値を示）している。
なお、本実施の形態では配列作成処理部１０５が周波数に関する配列を作成する場合を例に説明するが、本発明はこれに限定されない。
配列作成処理部１０５が作成する配列は、基準音響パラメータ設定部１０４ａで設定された音響パラメータに対応した配列であれば、任意の行と列から構成される複数の配列を作成することが可能であり、周波数成分だけでなく、例えば、補聴器の入出力比など、補聴器の各種特性に応じた配列を設定してもよい。
【００３６】
図５に示す配列例は、図４に示す配列において、配列の中心である配列要素Ｘ(3,3)を基準とした場合である。
この基準となる配列要素に対し、上方向に配列要素を移動した場合は低域の音響パラメータの値が増える、すなわちプラス（＋）方向の設定、下方向に移動した場合は低域の音響パラメータの値が減る、すなわちマイナス（―）方向の設定、右方向に移動した場合は高域の音響パラメータの値が増える、すなわちプラス（＋）方向の設定、左方向に移動した場合は高域の音響パラメータの値が減る、すなわちマイナス（―）方向の設定となっている。
【００３７】
このように基準音響パラメータ設定部１０４ａで設定された基準音響パラメータを配列作成処理部１０５が作成する配列の配列要素Ｘ(3,3)に設定すれば、この５×５の配列に選択候補値となる音響パラメータの値を効果的に設定できる。
もしここで、低域の範囲が補聴器装用者の要望、補聴器の部品特性による制約等で限定されており、低域に関し上方向に移動して低域の音響パラメータが増えるプラス（＋）方向の設定、たとえば配列要素を＋３の値に移動することができない場合は、例えば、配列の最上段（Ｘ(1,1)〜Ｘ(5,1)）に移動できないように表示画面に明示する、あるいは配列の最上段（Ｘ(1,1)〜Ｘ(5,1)）に設定しようとした場合、表示画面輝度の変化、補聴器調整装置の振動、音声により注意を促す等して移動範囲を視覚的、あるいは聴覚的、触覚的に認識させることができる。
また、配列に設定されている変更値、すなわち選択候補値は、何通りか複数の音響パラメータを設定してもよく、さらに基準から遠くなるほど、あるいは基準からの配列上の距離に応じて比例的に変化するだけでなく、級数的に変化する等、補聴器の特性により大きな効果が得られるように変更値を設定してもよい。
【００３８】
なお、基準からの配列上の距離の変化に応じて選択候補値の変化量を可変できるようにするために、配列の表示の周辺に、変化量可変手段（ハード的な構成でも、ソフト的な構成でも可）を設けてもよい。
【００３９】
以上のことより、本発明の補聴器調整装置は、補聴器調整者が、各種聴覚特性を補聴器の音響特性を構成する各種音響パラメータに、特別な技術的な知識を要することなく容易に対応付けるとともに、視覚的、音響的、触覚的等の方法で容易に補聴器装用者の要求レベルに合わせることが可能となり、補聴器の調整時間の短縮、補聴器の調整の精度を向上することができる。
【００４０】
さらに詳細に述べると、このように第１および第２の実施の形態の補聴器調整装置の音響パラメータの変更値を算出するパラメータ算出部１０３、１０３ａにおいて、補聴器の音響パラメータの初期値や、音響パラメータを取得する音響パラメータ取得部１０１で得られた調整前（従来）の補聴器の音響パラメータの値に対し、１つまたは複数のパラメータの値の変更、あるいは選択候補値を設定したｎ×ｍの２次元の配列を設定する。
パラメータの変更を設定したｎ×ｍの２次元の配列を設定する際、補聴器の音響パラメータの初期値や、音響パラメータを取得する音響パラメータ取得部１０１で得られた従来の補聴器の音響パラメータからの相対値となるため基準値、または従来の設定値はｎ×ｍの２次元配列の中心に位置することが好ましい。
２次元配列の横軸、縦軸それぞれに異なる聴覚特性を割り当て、その聴覚特性の変更に有効な補聴器の音響パラメータを割り当てることによりｎ×ｍの２次元配列の設定を行う。
【００４１】
ここでｎおよびｍの数は、基準に対し特性値が増加する方向、すなわちプラス方向と減少する方向、すなわちマイナス方向で選択肢がバランスするように設定するのが好ましいことから奇数の整数が好ましい。
ただし、基準となる初期値、または取得した値が補聴器として設定可能領域の中で偏っている場合は、ｎおよびｍの数が偶数となってもよい。
【００４２】
このときに補聴器の音響パラメータの初期値や、音響パラメータを取得する音響パラメータ取得部で得られた従来の補聴器の音響パラメータの値を示す位置から遠くなるほど聴覚特性の変化が大きくなるように音響パラメータを変化させるように設定するのが調整での変化を認識しやすいことからより好ましい。
ここで変更値、あるいは選択候補値を選択し、入力を行う入力部１０９において、補聴器装用者１２０の要求する聴覚特性に応じ、該当する１つの配列要素を選択すると、選択された配列要素に対応して設定してある補聴器の音響パラメータの選択候補値を設定部１１０によって補聴器１３０に設定することで、従来の補聴器の音響パラメータの値を示す配列の位置を更新記録する。
【００４３】
２次元配列を複数有する構成にするまたは２次元配列の縦軸、横軸に割り当てる聴覚特性を切り替える手段を有し、配列の設定値を算出する手段を有することにより、聴覚特性を多く適用することができる。
さらに２次元配列を算出したときに、該当する補聴器の音響パラメータの値が部品構成等その他の要因により無い場合、または設定不可能な場合はその配列の表示色を変える、配列自身を見えなくする等によって選択できなくすることにより設定できる範囲を明確に示すことができるため、補聴器の音響パラメータの調整範囲を視覚的に得ることができる。
【００４４】
これにより、補聴器の音響パラメータを補聴器調整者が直接操作することなく補聴器装用者の要求する聴覚特性に応じて補聴器の音響パラメータに反映していくことが容易になる。
【００４５】
次に本発明の第３の実施の形態について説明する。なお、本発明の第３の実施の形態の補聴器調整装置は図１または図２に示した第１または第２の実施の形態の補聴器調整装置と基本構成を同じくするため、同様の構成については同一の符号を用いて標記し、詳細な説明を省略する。
【００４６】
本実施の形態の補聴器調整装置１００ｂは、補聴器調整者１２３が、補聴器装用者１２０の聴覚特性の変更の要求、すなわち補聴器装用者の要求１２２を入力するためのインターフェース、すなわち入力部１０９を有するもので、ＣＰＵ等の演算部、データ記憶部およびデータ入出力インターフェース等を備えた専用機器により構成した補聴器調整装置でも、あるいは、初期値算出部、音響パラメータ取得部、パラメータ算出部等の各機能手段をプログラムとして構成し、コンピュータで実行するようにしてもよい。
【００４７】
この場合、入力部１０９としてのインターフェースにより入力された要求１２２は表示部１１５により図３の配列に近い形で補聴器調整者１２３に示すのが有効であり、
例えば配列をボタン化したパーソナルコンピュータあるいはワークステーション等（以下まとめて「パソコン」と示す。）の汎用機器の画面により構成される表示部１１５により表示された音響パラメータ群、すなわち選択候補値群の配列をマウスでクリックすることにより選択候補値設定部１０７で配列の選択を行うようにしてもよい。
設定部１１０により、選択された配列の音響パラメータの値、すなわち選択候補値を、補聴器１３０の音響パラメータ記憶部１３１に設定することにより、音響パラメータ記憶部１３１に格納される。
補聴器１３０は、この音響パラメータの値に基づき信号処理を行うことができるようになる。
【００４８】
前述の実施の形態では、低域周波数成分の大小、高域周波数成分の大小により設定される音響パラメータを設定する場合について説明を行ったが、補聴器装用者の要求１２２は、音量、明瞭さ、反響具合、金属質（キンキン音）等に対する好み等多岐に渡ることが多い。
そこで図３に示すような配列を上記した様々な要求に応じることができるように複数パターンの配列を作成し、その中から必要に応じて選択し、各種パラメータを設定することが有効である。
この場合、同一の音響パラメータを変更する場合でも、例えば、音響パラメータが周波数成分により設定されるとしても、低域周波数成分のみに着目する、高域周波数成分のみに着目する、中域周波数成分のみに着目するなど、異なった手法が可能であるため、それぞれに応じた配列を作成するのも有効な手段となる。
【００４９】
なお、上記の各実施の形態において、配列として、二次元配列を用いて説明したが、三次元配列あるいは三次元配列と時間の経過、使用しているその時間帯、補聴器装用者、雨、風、気温、湿度等の自然環境、人工的な騒音等の環境等の要素を含め、次元的にはいわゆる三次元より上の配列であってもよい。
【００５０】
以上のことより、本発明の補聴器調整装置は、補聴器調整者が各種聴覚特性を補聴器の音響特性を構成する各種音響パラメータに対応付けるのを容易にするとともに、多岐にわたる補聴器装用者の要求に対して細かいレベルまで容易に近づけることができることから、補聴器の調整時間の短縮、補聴器の調整の精度を向上することができる。
【産業上の利用可能性】
【００５１】
以上のように、本発明の補聴器調整装置は補聴器装用者の求める補聴器特性を設定して行く方法において補聴器の音響特性を補聴器装用者の要求に応じ調整することを容易にし、時間の短縮、補聴器の音響特性を決定する各種パラメータの調整精度を上げることについて有用である。
【図面の簡単な説明】
【００５２】
【図１】本願発明の第１の実施の形態における補聴器調整装置を示すブロック図
【図２】本願発明の第２の実施の形態における補聴器調整装置を示すブロック図
【図３】本実施の形態における配列を示す図
【図４】本実施の形態における配列の具体例を示す図
【図５】本実施の形態における配列の設定値の具体例を示す図
【符号の説明】
【００５３】
１００、１００ａ  補聴器調整装置
１０１  音響パラメータ取得部
１０２  初期値算出部
１０３、１０３ａ  パラメータ算出部
１０４、１０４ａ  基準音響パラメータ設定部
１０５  配列作成処理部
１０６  選択候補値設定部
１０７  配列選択処理部
１０８  音響パラメータ設定処理部
１０９  入力部
１１０  設定部
１１５  表示部
【図１】
0004912295.tif 000002
【図２】
0004912295.tif 000003
【図３】
0004912295.tif 000004
【図４】
0004912295.tif 000005
【図５】
0004912295.tif 000006